【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
所定の情報を表す画像が印刷された紙であって、
前記画像は、紙を特定するための紙特定情報と、紙上の座標情報とを表すことを特徴とする紙。
【請求項２】
所定の情報を表す画像が印刷された紙であって、
前記画像は、紙への印刷前に、紙を特定するための紙特定情報と、紙上の座標情報とに関連付けられていることを特徴とする紙。
【請求項３】
前記画像は、光学的読取装置で読み取ることが可能な材料で印刷されており、
少なくとも、光学的読取装置を有するペン型装置によって紙に筆記動作が行われる範囲に印刷されている、
ことを特徴とする請求項１又は２記載の紙。
【請求項４】
ペン型装置に設けられた光学的読取装置が請求項１、２又は３記載の紙から読み取った画像から、前記紙を特定するための紙特定情報と、前記紙に書き込んだ筆記軌跡情報とを求める、
ことを特徴とするデータ処理方法。
【請求項５】
前記紙特定情報からその紙に対応する電子データを照合する工程と、
照合した電子データに対し、前記筆記軌跡情報を付加する工程と、
を備えることを特徴とするデータ処理方法。
【請求項６】
光学的読取装置は、ペン型装置が、位置特定情報が印刷された請求項３記載の紙上へ筆記を行なう間、連続的に前記位置特定情報を読み取る、
ことを特徴とするペン型装置。
【手続補正２】
【補正対象書類名】明細書
【補正対象項目名】００１８
【補正方法】変更
【補正の内容】
【００１８】
【課題を解決するための手段】
請求項１に記載の発明は、所定の情報を表す画像が印刷された紙であって、前記画像は、紙を特定するための紙特定情報と、紙上の座標情報とを表すことを特徴とする。
請求項２記載の発明は、所定の情報を表す画像が印刷された紙であって、前記画像は、紙への印刷前に、紙を特定するための紙特定情報と、紙上の座標情報とに関連付けられていることを特徴とする。
請求項３記載の発明は、請求項１又は２記載の紙において、前記画像は、光学的読取装置で読み取ることが可能な材料で印刷されており、少なくとも、光学的読取装置を有するペン型装置によって紙に筆記動作が行われる範囲に印刷されている、ことを特徴とする。
請求項４記載のデータ処理方法の発明は、ペン型装置に設けられた光学的読取装置が請求項１、２又は３記載の紙から読み取った画像から、前記紙を特定するための紙特定情報と、前記紙に書き込んだ筆記軌跡情報とを求める、ことを特徴とする。
請求項５記載のデータ処理方法の発明は、前記紙特定情報からその紙に対応する電子データを照合する工程と、照合した電子データに対し、前記筆記軌跡情報を付加する工程と、を備えることを特徴とする。
請求項６記載のペン型装置の発明は、光学的読取装置は、ペン型装置が、位置特定情報が印刷された請求項３記載の紙上へ筆記を行なう間、連続的に前記位置特定情報を読み取る、ことを特徴とする。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】０１２９
【補正方法】削除
【補正の内容】
【手続補正２９】
【補正対象書類名】明細書
【補正対象項目名】０１３０
【補正方法】削除
【補正の内容】
【手続補正３０】
【補正対象書類名】明細書
【補正対象項目名】０１３１
【補正方法】削除
【補正の内容】
【手続補正３１】
【補正対象書類名】明細書
【補正対象項目名】０１３２
【補正方法】削除
【補正の内容】
【手続補正３２】
【補正対象書類名】明細書
【補正対象項目名】０１３３
【補正方法】削除
【補正の内容】
【手続補正３３】
【補正対象書類名】明細書
【補正対象項目名】０１３４
【補正方法】削除
【補正の内容】
【手続補正３４】
【補正対象書類名】明細書
【補正対象項目名】０１３５
【補正方法】削除
【補正の内容】
【手続補正３５】
【補正対象書類名】明細書
【補正対象項目名】０１３６
【補正方法】削除
【補正の内容】
【手続補正３６】
【補正対象書類名】明細書
【補正対象項目名】０１３７
【補正方法】削除
【補正の内容】
【手続補正３７】
【補正対象書類名】明細書
【補正対象項目名】０１３８
【補正方法】削除
【補正の内容】
【手続補正３８】
【補正対象書類名】明細書
【補正対象項目名】０１３９
【補正方法】削除
【補正の内容】
【手続補正３９】
【補正対象書類名】明細書
【補正対象項目名】０１４０
【補正方法】削除
【補正の内容】
【手続補正４０】
【補正対象書類名】明細書
【補正対象項目名】０１４１
【補正方法】削除
【補正の内容】